(57)【要約】【課題】ピーマンなどの蔓作物の糸吊り作業に好適に使用できる糸吊り補助器を提供する。【解決手段】茎を支持する半円弧状の茎支持部と、該茎支持部から延出した略レ字形状の糸挟持部とから構成され、該糸支持部の先端にはＶ字形の切込みが形成されると共に、該Ｖ字形の切込み基部には糸材を挟持するスリットが所定の長さで形成され、且つ前記半円弧状の茎支持部は、前記糸挟持部より肉薄に形成され茎の成長に伴ない拡径可能とする。【選択図】図１
2012019778.tif 000002
【特許請求の範囲】
【請求項１】
茎を支持する半円弧状の茎支持部と、該茎支持部から延出した略レ字形状の糸挟持部とから構成され、該糸支持部の先端にはＶ字形の切込みが形成されると共に、該Ｖ字形の切込み基部には糸材を挟持するスリットが所定の長さで形成され、且つ前記半円弧状の茎支持部は、前記糸挟持部より肉薄に形成され茎の成長に伴ない拡径可能とすることを特徴とする糸吊り補助器具。
【請求項２】
前記円弧状の茎支持部の先端は、前記糸挟持部と所定の隙間を空けて近接することを特徴とする請求項１記載の糸吊り補助器具。
【発明の詳細な説明】
【技術分野】
【０００１】  本発明は、糸吊り補助器具に関し、とくにピーマンなどの蔓作物の栽培に使用する糸吊り補助器具に関する。
【背景技術】
【０００２】  ピーマンなどの蔓作物の茎は、成長するにつれて上方に伸びるが、作物を効率よく成長させるためには、茎が地面に対して斜め方向に成長させる操作が必要となり、一般には畝の長手方向に張り渡した針金に誘引用糸材を所定の間隔で垂らして、茎に結びつけて誘引する方法がとられている。【０００３】  しかしながら、この誘引用糸によって茎を結ぶ作業には熟練を必要とするものであり、またビニルハウス内で全ての蔓作物の茎を誘引するためには多くの人手と時間を必要とするものであった。【０００４】  そこで、誘引作業も省力化、軽負担でできる植物栽培用吊りフックが提案されている（特許文献１参照。）。【０００５】  また、一体形クリップで、しかも茎と誘引用紐に対する取り付け作業が容易な植物茎誘引用クリップもある（特許文献２参照。）。
【先行技術文献】
【特許文献】
【０００６】
【特許文献１】特開２００２−３４５３４５号公報
【特許文献２】特許第４２５１６９３号公報
【発明の概要】
【発明が解決しようとする課題】
【０００７】  しかしながら、上記特許文献１の植物栽培用吊りフックは、トマト等の茎が蔓状に伸びる植物のハウス栽培においてトマトの実が接地しないように複数の茎を同時に吊り上げるものであり、蔓作物の個々の茎の誘引には適しないものであった。また、上記特許文献２に記載された植物茎誘引用クリップは、茎と誘引紐を同時に取り付けが可能なクリップであるが、形状が複雑となり高価なものである。【０００８】  本発明は、上記従来の問題点に鑑みなされたもので、蔓作物の誘引作業が容易であり、、しかも茎の成長に追随できる糸吊り補助器具を提供するものである。
【課題を解決するための手段】
【０００９】  このため本発明の糸吊り補助器具は、茎を支持する半円弧状の茎支持部と、該茎支持部から延出した略レ字形状の糸挟持部とから構成され、該糸支持部の先端にはＶ字形の切込みが形成されると共に、該Ｖ字形の切込み基部には糸材を挟持するスリットが所定の長さで形成され、且つ前記半円弧状の茎支持部は、前記糸挟持部より肉薄に形成され茎の成長に伴ない拡径可能とすることを第一の特徴とする。【００１０】  また、前記円弧状の茎支持部の先端は、前記糸挟持部と所定の隙間を空けて近接することを第二の特徴とする。
【発明の効果】
【００１１】  本発明に係る糸吊り補助器具によれば、茎を支持する半円弧状の茎支持部と、該茎支持部から延出した略レ字形状の糸挟持部とから構成され、且つ前記半円弧状の茎支持部は、前記糸挟持部より肉薄に形成されているため、支持された茎の成長に伴ない拡径可能であり、茎が締め付けられることがなく、また傷がつかないという優れた効果を有する。【００１２】  また、糸支持部の先端にはＶ字形の切込みが形成されると共に、該Ｖ字形の切込み基部には糸材を挟持するスリットが所定の長さで形成されるため、誘引用糸を容易に挟んで固定できるという効果を有する。【００１３】  さらに、固定された誘引用糸を糸挟持部に捲き付けることで、引張り強度が増すという効果を有する。
【図面の簡単な説明】
【００１４】
【図１】本発明の糸吊り補助器具を示す斜視図である。
【図２】図１の正面説明図である。
【図３】図２の部分拡大説明図である。
【図４】本発明の糸吊り補助器具本体の側断面説明図である。
【発明を実施するための形態】
【００１５】  以下、本発明を実施するための最良の形態を図面に示す実施例に基づいて説明するが、本発明が本実施例に限定されないことは言うまでもない。図１は本発明に係る糸吊り補助器具の側面図、図２は図１の正面図、図３は図２の部分拡大説明図、図４は本発明に係る糸吊り補助器具を使用した状態を示す説明図である。
【実施例】
【００１６】  図１乃至図３は本発明の糸吊り補助器具１を示しており、図１は側面図、図２は正面図、図３は平面図を示している。図に示すように、本発明の糸吊り補助器具１は、側面視半円弧状の茎支持部２と、レ字形状の糸挟持部３とからなり、ＰＰ・ＰＥなどの弾性を有する合成樹脂で成型されている。【００１７】  茎支持部２は、糸挟持部３から半円弧状に延出して、その先端は、糸挟持部３と所定の隙間を空けて近接して成形されており、その厚みは糸挟持部３に対して薄く調節されており、後述する茎の成長に伴ない拡径可能とされている。【００１８】  糸挟持部３は、その先端中央にＶ字型の切込み４が形成されており、この切込み４の基部には糸材を挟持するスリット部５が長手方向に所定長さ形成されている。【００１９】  上記構成からなる本発明の糸吊り補助器具１は、茎支持部２を開いてピーマンなどの蔓作物の茎を差込み、誘引用糸を糸挟持部３の切込み４から、スリット部５に挟むことで、極めて簡単に糸吊り作業ができる。【００２０】  次に図４に従って、本発明の糸吊り補助器具を使用した蔓作物の糸吊り例を説明する。【００２１】  図に示すように、作物用床６にはピーマンの苗が植えられており、この床６と平行して針金支線７が床６の上方に張設されている。この支線７には所定の間隔で誘引用糸８が下方に垂らされている。尚、本実施例においては糸吊り補助器具１を使用して、茎支持部２を支線７に掛けて、誘引用糸８を糸挟持部３に取付けている。そして、上方に伸びる茎９を所定の角度で誘引するために、糸吊り補助器具１の茎支持部２を開いて茎９を掛け、上記誘引糸８を糸挟持部３に挟みながら糸の長さを調節する。【００２２】  このように、茎９は茎支持部２に掛けるだけで簡単に保持することが可能となり、また誘引用糸８は、糸挟持部３の先端に設けられたＶ字型の切込み４からスムーズに差込むだけで固定することができ、必要に応じて誘引用糸８を糸挟持部３捲き付けるだけで強固に固定することができる。しかも、茎９の成長に伴ない茎支持部２は弾性を持って拡径するため茎９を締め付けることがなく、また傷を付ける虞もない。【００２３】  以上、本発明による糸吊り補助器具によれば、蔓作物の誘引作業が容易であり、しかも茎の成長に追随できる糸吊り補助器具を提供することができる。
【産業上の利用可能性】
【００２４】  本発明による糸吊り補助器具は、蔓作物ばかりでなく、誘引を必要とする作業に好適に利用可能である。
【符号の説明】
【００２５】      １      糸吊り補助器具
２      茎支持部
３      糸挟持部
４      切込み
５      スリット部
６      床
７      支線
８      誘引用糸
９      茎
【図１】
2012019778.tif 000003
【図２】
2012019778.tif 000004
【図３】
2012019778.tif 000005
【図４】
2012019778.tif 000006